(57)【要約】【課題】  スプリンクラーヘッドの水平溝に、爪を係止させて設置される遮水装置において、該遮水装置をスプリンクラーヘッドに設置した後に、遮水装置を回転させることが可能であり、放水方向を規制する遮水プレートの方向調整を容易に行なうことが可能な装置を提供する。【解決手段】  スプリンクラーヘッド遮水装置の設置具１０の円筒部１１内周面には遮水プレート５の係止部１３、１３・・・が設置されており、設置具１０内に遮水装置Ａを嵌入して回転させることが可能である。また遮水プレート５の設置方向の目安となる位置決め部分１６を設けた。【選択図】    図２
2005118404.tif 000002
【特許請求の範囲】
【請求項１】
天井内に埋め込まれて設置されているスプリンクラーヘッドに、スプリンクラーヘッドと係合される係止部が円筒部分に設けられ、該円筒部分から下方にスプリンクラーヘッドの放水方向を規制する遮水プレートが垂下して設置されている遮水装置を、前記スプリンクラーヘッドに設置するための設置具であり、設置具の円筒部内周面には前記遮水プレートとの係止部が設置されており、設置具内に遮水装置を嵌入して回転させることが可能であることを特徴とするスプリンクラーヘッド遮水装置の設置具。
【請求項２】
前記スプリンクラーヘッド遮水装置の設置具の内面には、遮水装置の円筒部下端に設けられた係止溝と係合可能な爪が形成されていることを特徴とするスプリンクラーヘッド遮水装置の設置具。
【請求項３】
前記スプリンクラーヘッド遮水装置の設置具に、遮水プレートの設置方向の目安となる位置決め部分が設けてあることを特徴とする請求項１記載のスプリンクラーヘッド遮水装置の設置具。
【発明の詳細な説明】
【技術分野】
【０００１】
本発明は、消火用スプリンクラーヘッドに設置される特定方向への消火水の散布を規制する遮水装置を、スプリンクラーヘッドに取付けるための設置具に関するものである。
【背景技術】
【０００２】
スプリンクラーヘッドはビルやデパートの建物内に設置され、水源に続く給水配管と接続されている。スプリンクラーヘッドは感熱部を有しており、火災時には火災の熱によって感熱部が作動してスプリンクラーヘッド内部の弁体が開放する。弁体が開放されると給水配管内の水が室内に散布されて火災を鎮圧・抑制するものである。
【０００３】
近年において、散水範囲の広いスプリンクラーヘッドが主流となっており、特に住宅用のスプリンクラーヘッドは床面への散水だけでなく、室内の家具やカーテン等にもスプリンクラーヘッドから散布した水がかかるように、壁面側の水平方向にも水を飛散させるタイプのものがある。
【０００４】
水平方向にも水を飛散させたことによって、スプリンクラーヘッドから散布された水が、近隣に設置されたスプリンクラーヘッドの感熱部を被水させてしまう可能性がある。作動していないスプリンクラーヘッドの感熱部が被水してしまうと、被水していないスプリンクラーヘッドと比較して、感熱部が作動するまでの時間が増加し、火災を拡大させてしまうおそれがある。
【０００５】
近隣のスプリンクラーヘッドを被水させないために、スプリンクラーヘッドからの特定方向への散水距離を規制する遮水装置がある（例えば、特許文献１参照）。
【０００６】
特許文献１に記載されている遮水装置は、スプリンクラーヘッドに装着されるヘッドプロテクタにスプリンクラーヘッドから特定方向に放水される水の放水距離を規制する規制体を近隣に設置されているスプリンクラーヘッドの方向に設けたものである。規制体はスプリンクラーヘッドより放水される水を斜め下方に軌道を変更させて室内に散布する。
【０００７】
これにより、近隣のスプリンクラーヘッドの方向へ放出された水は規制体によって斜め下方に散布され、近隣に設置されたスプリンクラーヘッドの表面を濡らすことを予防できる。
【０００８】
上記遮水装置の規制体は６０度間隔で設置されるので微妙な方向調整が行い難く、また着脱可能であるために、設置後にイタズラや外力による衝撃によって外れてしまう可能性があることから、本出願人は特願２００３−２９４９９３号の特許出願において、前述の問題点を解消した遮水装置を発明している。
【０００９】
図７に示した上記特許出願の遮水装置Ａは、スプリンクラーヘッド１の外周に設けられた水平溝２に係止される複数の爪３、３・・・を有する円筒部分４と、円筒部分１の下端から下方に延出している遮水プレート５から構成される。
【００１０】
天井内に埋め込まれて設置されているスプリンクラーヘッド１に遮水装置Ａを挿通させ、スプリンクラーヘッド１の水平溝２に、遮水装置Ａの爪３を係止させて設置する。遮水装置Ａの円筒部分４は天井内に隠れるので、設置後に取外すことが困難である。
【００１１】
また、上記遮水装置Ａはスプリンクラーヘッド１に取付けた後に、スプリンクラーヘッドの外周上を自在に回転移動することができるので、係止部分下方に設けた遮水プレート５の方向調整を行なえるものである。
【００１２】
【特許文献１】特開平１０−２７２２０１号公報（第２−４頁、第２図）
【発明の開示】
【発明が解決しようとする課題】
【００１３】
上記の遮水装置をスプリンクラーヘッドに設置後に、遮水プレートの位置を変更しようとして、遮水装置を回転させようとすると、スプリンクラーヘッドとの係止部分が天井内に位置しているので、遮水装置を回転させにくいという問題があった。
【００１４】
また、遮水プレートは小さいものであり、スプリンクラーヘッドと密接した位置にあるので目視による正確な方向調整を行なうことが困難であった。
【００１５】
そこで本発明では、上記問題に鑑み、遮水装置をスプリンクラーヘッドに設置した後に、遮水装置を回転させることが可能であり、遮水プレートの方向調整を容易に行なうことが可能な装置を提供することを目的としている。
【課題を解決するための手段】
【００１６】
上記の目的を達成するために、請求項１記載の発明は、天井内に埋め込まれて設置されているスプリンクラーヘッドに、スプリンクラーヘッドと係合される係止部が円筒部分に設けられ、該円筒部分から下方にスプリンクラーヘッドの放水方向を規制する遮水プレートが垂下して設置されている遮水装置を、前記スプリンクラーヘッドに設置するための設置具であり、設置具の円筒部内周面には前記遮水プレートとの係止部が設置されており、設置具内に遮水装置を嵌入して回転させることが可能であるスプリンクラーヘッド遮水装置の設置具である。
【００１７】
請求項２記載の発明は、前記スプリンクラーヘッド遮水装置の設置具の内面には、遮水装置の円筒部下端に設けられた係止溝と係合可能な爪が形成されているスプリンクラーヘッド遮水装置の設置具である。
【００１８】
請求項３記載の発明は、前記スプリンクラーヘッド遮水装置の設置具に、遮水プレートの設置方向の目安となる位置決め部分が設けてある請求項１記載のスプリンクラーヘッド遮水装置の設置具である。
【発明の効果】
【００１９】
上記構成によるスプリンクラーヘッド遮水装置の設置具によって、スプリンクラーヘッドに設置されている遮水装置の係止溝に爪を係止させることによって遮水装置を容易に回転させることが可能となる。
【００２０】
また、設置具には、遮水プレートの設置方向の位置決め部分が設けられていることから、遮水プレートの方向調節が行ない易くなる。
【実施例】
【００２１】
以下、この発明の実施例を図１から図６を参照して説明する。図１は本発明のスプリンクラーヘッド遮水装置の設置具の側面図。図２は図１に遮水装置を含めた斜視図、図３は図１に遮水装置を嵌入した場合の側面図。図４は図１を９０度回転させた側面図。図５は遮水装置をスプリンクラーヘッドに取付ける説明図。図６は遮水装置の位置あわせ基準の説明図である。
【００２２】
図１に示すように、本発明のスプリンクラーヘッド遮水装置の設置具１０（以下、「設置具」に省略）は、円筒部１１および位置決め部１２から構成されている。尚、スプリンクラーヘッドおよび遮水装置についての説明は前述の通りであり、各箇所を表す符合についても同じものを用いる。
【００２３】
図１、２より円筒部１１の上部は、前述の遮水装置Ａを収容する部分である。従って円筒部１１の上部内径は遮水装置Ａの外径よりも小さい。円筒部１１の上部には、内周面に複数の爪１３、１３・・・と、対向して設けられた開口部１４、１４とが設けられている。
【００２４】
爪１３は、遮水装置Ａの円筒部分４の下端に、均等角度間隔に設けられた複数の係止溝１５、１５・・・を係止するものであり、爪１３も係止溝１５と対応する角度間隔で設置されている（図２、３参照）。
【００２５】
開口部１４、１４は前述のように対向した位置に設けられている。遮水装置Ａを円筒部１１内に嵌め入れる際に、遮水プレート５が開口部１４に位置するように嵌入させる。また開口部１４の垂直延長上には位置決め部１２の基準１６が設置されており、該基準１６を目安として遮水プレートの方向調整を行なうものである。
【００２６】
位置決め部１２は、図４に示すように円筒部１１の下部と接続されており、位置決め部１２の下面には基準１６として直線溝１７が刻設されている。該直線溝１７は、一方の開口部１４の中心から円筒中心を通って他方の開口部１４の中心に続く線Ｘ−Ｘの垂直延長上に設けられている。
【００２７】
次に上記の設置具を用いて、遮水装置をスプリンクラーヘッドに装着させる手順について説明する。
【００２８】
まず、図３のように遮水装置Ａを円筒部１１内に嵌入させる。その際、遮水装置Ａの遮水プレート５は、開口部１４の位置にセットされるようにし、また遮水装置Ａの係止溝１５、１５・・・を、円筒部１１内の爪１３、１３・・・に係止させる。
【００２９】
次に、図５に示すように設置具１０内に装着された遮水装置Ａを、天井に設置されたスプリンクラーヘッド１に取付ける。上記の設置具１０にスプリンクラーヘッド１を挿入し、設置具１０内の遮水装置Ａの上端が、スプリンクラーヘッド１の鍔部１８に接触するまで設置具１０を上に押し上げる。
【００３０】
設置具１０内の遮水装置Ａの上端が、スプリンクラーヘッド１の鍔部１８に接触した時点で遮水装置Ａの爪３、３・・・はスプリンクラーヘッド１の溝に係止された状態である。次に遮水プレート５の方向を調節するために、設置具１０下端の基準１６を任意の方向へ合わせるように設置具１０を左右に回転させる。
【００３１】
基準１６の方向を合わせたら、設置具１０の側面より基準１６を覗き込み、方向の微調整を行なう。図６（ａ）に示すように基準である直線溝１７の両端が重なった状態で、直線溝１７の向こう側に近隣のスプリンクラーヘッドが見える状態であれば遮水プレートの方向が正しいことを表す。同図（ｂ）のように基準１６から向こう側の端が見えている場合は方向がずれていることを表す。
【００３２】
遮水プレート５の方向調整が終わったならば、設置具１０を下方に引抜く。続いて、スプリンクラーヘッド１が設置された天井穴を覆うためのシーリングプレートや、ヘッドプロテクタ等を設置して作業終了となる。
【００３３】
次に、遮水装置およびシーリングプレートを設置した後に、遮水プレート５の位置を変更する手順について説明する。
【００３４】
まずシーリングプレートを取外す。そしてスプリンクラーヘッド１に設置されている遮水装置Ａに設置具１０を嵌め込む。その際、開口部１４と遮水プレート５が同じ位置になるように設置具１０を嵌めると、遮水装置Ａの係止溝１５に設置具１０の爪１３が係止される。
【００３５】
遮水装置Ａの係止溝１５に、設置具１０の爪１３が係止された状態で、設置具１０を左右に回転させ、前述のように遮水プレート５の位置あわせを行なう。遮水プレート５の位置調整が終了したら、シーリングプレートを元のように設置して作業を終了する。
【図面の簡単な説明】
【００３６】
【図１】本発明のスプリンクラーヘッド遮水装置の設置具の側面図
【図２】図１と遮水装置の斜視図
【図３】図１に遮水装置を嵌入した場合の側面図
【図４】図１を９０度回転させた側面図
【図５】遮水装置をスプリンクラーヘッドに取付ける説明図
【図６】遮水装置の位置あわせ基準の説明図
【図７】遮水装置の説明図
【符号の説明】
【００３７】
１  スプリンクラーヘッド
１０  スプリンクラー遮水装置の設置具
１１  円筒部
１２  位置決め部
１３  爪
１４  開口部
１５  係止溝
１６  基準
Ａ  遮水装置
【図１】
2005118404.tif 000003
【図２】
2005118404.tif 000004
【図３】
2005118404.tif 000005
【図４】
2005118404.tif 000006
【図５】
2005118404.tif 000007
【図６】
2005118404.tif 000008
【図７】
2005118404.tif 000009